(57)【要約】【課題】ヘアーアイロンの発熱部の先端へのキャップ部材の取り付けを簡単にできるようにする。【解決手段】ヘアーアイロンの発熱部１１の先端へ嵌入するキャップ部材２０に、前記発熱部１１へ嵌入するキャップ部材２０の嵌合部材２１の周囲から先端を嵌入方向に対して後方へ傾斜させた突片３５を突出させた構成を採用する。こうすることで、嵌合部材２１から突出した突片は、後方に傾斜しているので嵌入を妨げず、嵌入後は、キャップ部材２０が外れようとして嵌入方向と逆方向へ動こうとすると、筒状の発熱部１１の内壁に係合して抜け落ちを防止する。したがって、嵌合部材２１の周囲から突片３５を突出させたキャップ部材２０を嵌入するだけで、キャップ部材の取り付けが完了するようにしてキャップ部材の取り付けが簡単にできるようにする。【選択図】図１
2007054116.tif 000002
【特許請求の範囲】
【請求項１】
筒状の発熱部の先端に取り付けられるキャップ部材の、前記発熱部の先端との嵌合部に、前記嵌合部の周囲から突出させた先端を嵌入方向に対して後方へ傾斜させた突片を設け、前記突片の先端を嵌入した筒状の発熱部の内壁に係合するようにしたヘアーアイロン。
【請求項２】
上記嵌合部の周囲から突出する突片が、突片を放射状に設けた中心に孔を形成した係合部材からなり、前記係合部材の孔にネジを挿通して、挿通したネジを上記キャップ部材にネジ止めして、そのネジ止めした係合部材の突片がキャップの嵌合部の周囲から突出するようにして突出した突片の先端が嵌入した筒状の発熱部の内壁に係合するようにした請求項１に記載のヘアーアイロン。
【請求項３】
上記キャップ部材が、嵌合部材とその上部に取り付けられるつまみ部材を備え、前記つまみ部材を、上記係合部材から嵌合部材に挿通したネジに、スプリングを介してネジ止めした請求項２に記載のヘアーアイロン。
【発明の詳細な説明】
【技術分野】
【０００１】
この発明は、カールヘアーなどをするのに用いられるヘアーアイロンに関するものである。
【背景技術】
【０００２】
髪をふんわりと大きめのカールにアレンジしたいときなどに用いるものとしてヘアーアイロンがある。
【０００３】
このタイプのヘアーアイロンは、例えば図３に示す本願発明のヘアーアイロンと同様に、ハンドル１０と直列に筒状の発熱部１１を設け、その発熱部１１にクリップ１２を設けた構造となっており、前記クリップ１２で毛束を挟んで発熱部１１に巻きつけ、巻きつけた状態を数秒間保持してカールするというものである。
【０００４】
そして、この髪を巻きつける際に、巻き付けやすいように、発熱部１１の先端にキャップ部材２０を取り付け、前記キャップ部材２０とハンドル１０とを左右の手で支持することにより、ヘアーアイロンを回転させやすいようにしている。
【０００５】
従来、この発熱部１１の先端のキャップ部材２０は、図６の（特許文献１）のように、ネジ止めするようにしていた。すなわち、図６では、発熱部１１の先端にキャップ部材１を嵌合し、嵌合したキャップ部材１を発熱部１１の左右からネジ１４を挿通してネジ止めするという方法が用いられていた。
【特許文献１】特開２００３−２８４６０８号公報
【発明の開示】
【発明が解決しようとする課題】
【０００６】
しかしながら、上記のネジ止め方法では、キャップ部材をネジ止めするためには、キャップ部材を発熱部の先端に嵌入し、発熱部の先端に対向して設けたネジ止め用の貫通孔と、キャップ部材に形成したネジ孔とを合致させたのち、ネジを挿通して螺合しなければならない。また、そのネジ止めも一箇所ずつ止めなければならないので、取り付け作業が非常に煩雑で、しかも、ネジの取り付け忘れや締め忘れなどのミスも起こしやすいので、生産効率も悪いという問題がある。
【０００７】
そこで、この発明の課題は、取り付け作業を簡単に行えるようにすることである。
【課題を解決するための手段】
【０００８】
上記の課題を解決するため、この発明では、キャップ部材の嵌合部の周囲から先端を嵌入方向に対して後方へ傾斜させた突片を突出させた構成を採用したのである。
【０００９】
このような構成を採用したことにより、キャップ部材の嵌合部を筒状の発熱部の先端に嵌合すると、前記嵌合部の突片は、嵌入方向に対して後方に傾斜しているので、嵌入を妨げない。また、嵌入後は、キャップ部材が外れようとして嵌入方向と逆方向へ動こうとすると、嵌入方向に対して後方に傾斜させた前記突片の先端が、筒状の発熱部の内壁に係合して抜け落ちを防止する。したがって、このようなキャップ部材を発熱部の先端へ嵌入するだけでキャップ部材の取り付けが完了する。
【００１０】
このとき、上記嵌合部の周囲から突出する突片を放射状に設けた中心に孔を形成した係合部材で構成し、前記係合部材の孔にネジを挿通して、挿通したネジを上記キャップ部材にネジ止めして、そのネジ止めした係合部材の突片がキャップの嵌合部の周囲から突出する構成を採用することができる。
【００１１】
このような構成を採用することにより、係合部材をネジ止めすることで、突片付きのキャップ部材を構成できる。また、ネジ止めした係合部材は、キャップ部材の嵌入時には、係合部材の突片が、嵌入方向に対して後方に傾斜しているので嵌入を妨げない。また、嵌入後の前記突片は、嵌入方向に対して後方に傾斜した前記突片の先端が筒状の発熱部の内壁に係合して抜け落ちを防止する。
【００１２】
また、このとき、上記キャップ部材が、嵌合部材とその上部に取り付けられるつまみ部材を備え、前記つまみ部を、上記係合部材から嵌合部に挿通したネジに、スプリングを介してネジ止めした構成を採用することができる。
【００１３】
このような構成を採用することにより、係合部材の取り付けられたキャップ部材は、筒状の発熱部への嵌入時は、係合部材の突片が、嵌入方向に対して後方に傾斜しているので嵌入を妨げない。また、前記発熱部へ嵌入後の前記突片は、嵌入方向に対して後方に傾斜した前記突片の先端が筒状の発熱部の内壁に係合して抜け落ちを防止する。また、嵌入後は、嵌合部に挿通したネジに挿通されたスプリングは、嵌合部からネジ止めされたつまみ部を浮かせるように付勢して嵌合部の摩擦を少なくして回動できるようにする。
【発明の効果】
【００１４】
この発明は、以上のように構成したことにより、キャップ部材を嵌入するだけで、発熱部材の先端に取り付けることができるので、組み立て作業が簡便で、しかも、ネジの取り付け忘れや締め忘れなどのミスも起きないので、生産効率も高くなる。
【発明を実施するための最良の形態】
【００１５】
以下、この発明を実施するための最良の形態を図面に基づいて説明する。
図１に、この形態のヘアーアイロンのキャップ部材２０の分解斜視図を示す。前記キャップ部材２０は、嵌合部材２１とつまみ部材２２とを備え、前記つまみ部材２２を係合部材２３からホルダー２４を介して嵌合部材２１に挿通したネジ２５に、スプリング２６を挿通してネジ止めした構造となっている。
【００１６】
この形態のつまみ部材２２は、図１に示すように、円錐形に凹部２７を設けてツマミ形に形成したもので、前記凹部２７を指先で摘めるようにしたものである。また、つまみ部材２２の内部は中空にして、その中央に突起２８を設けてネジ溝を形成し、ネジ止めができるようにしてある。
【００１７】
嵌合部材２１は、難燃性の樹脂を成型したもので、図１のように円筒形の基部２９の上部に、基部２９よりも大径に形成した鍔部３０を設けた形状となっている。
【００１８】
すなわち、前記基部２９の外径を後述する発熱部１１の内径とほぼ同じ径（少し小さめの方が嵌め易い）に形成し、鍔部３０の外径を前記発熱部１１の外径と同じにしてある。また、その鍔部３０の中央には、円筒形の突部３１を形成し、その突部の中央に貫通孔３２を設けた形状となっている。
【００１９】
一方、円筒形の基部２９の周囲には、この形態では、３本の溝３３が等間隔で設けてあり、係合部材２３を取り付けるようになっている。また、基部２９の内側に図１の符号  ３４のような突起を設けて係合部材２３を取り付ける際に仮止めできるようにしてある。
【００２０】
係合部材２３は、ここでは、円板の周囲に３本の突片３５を放射状に設け、その円板の中心に孔３６を設けたもので、前記突片３５の幅と基部２９の溝３３の幅とが合致するように形成し、かつ、円板の外径を前記基部２９の内径に合致するように形成して、前記基部２９に取り付けられる形状としている。また、放射状に形成した３本の突片３５の先端を同方向に傾斜させて、基部２９に取り付けた際に、嵌入方向に対して後方に傾斜するようにしてある。
【００２１】
また、この取り付けた際に、係合部材２３の円板の孔３６は、嵌合部材２１の貫通孔３２と合致する。この合致した孔３６には、先に述べたようにホルダー２４を嵌めてネジ２５を挿通する。
【００２２】
このとき、前記ホルダー２４には、図１に示すような軸にネジ２５の挿通孔３７を形成した「Ｔ」字型のものを使用して、図２（ａ）のように、端部に形成した鍔３８が係合部材２３の円板部分に当接して取り付けられるようにしている。
【００２３】
この形態は、上記のように構成されており、この形態のヘアーアイロンでは、以下のように組み立てることにより、嵌合部材２１の周囲から突片３５を突出させたキャップ部材２０を図３のように、筒状の発熱部１１の先端に取り付ける。
【００２４】
すなわち、キャップ部材２０は、図１のように、例えば、嵌合部材２１の基部２９に係合部材２３を取り付け、ホルダー２４を嵌めてネジ２５を挿通し、挿通したネジ２５を嵌合部材２１の鍔部３０から突出させたのち、その突出したネジ軸にスプリング２６を挿通して、つまみ部材２２をネジ止めする。
【００２５】
このネジ止めの際には、つまみ部材２２が回転するように遊びを設けて締め付ける。このように、遊びを設けてもつまみ部材２２は、スプリング２６のテンションによりネジ２５との係合が緩むことはない。
【００２６】
こうして組み立てられたキャップ部材２０は、嵌合部材２１側を嵌入方向として筒状の発熱部１１の先端に嵌入する。このとき、嵌合部材２１から突出した突片３５は、嵌入方向に対して後方に傾斜しているので嵌入を妨げない。また、嵌入後は、キャップ部材２０が外れようとして嵌入方向と逆方向へ動こうとすると、図２（ａ）及び（ｂ）に示すように、嵌入方向に対して後方に傾斜させた前記突片３５の先端が、筒状の発熱部１１の内壁に係合して抜け落ちを防止する。
【００２７】
このように、嵌合部材２１の周囲から突片３５を突出させたキャップ部材２０を嵌入するだけで、キャップ部材２０の取り付けが完了する。
【００２８】
したがって、組み立て作業が簡便で、しかも、ネジ２５の取り付け忘れや締め忘れなどのミスも起きないので、生産効率も高くなる。
【００２９】
なお、この形態では、係合部材２３は、３本の突片３５を持つものとしたが、これに限定されるものではなく、必要な係止力に合わせてその数は適宜決めることができる。また、係合部材２３は、金属製でも良いが、強度が許せば樹脂製でも構わない。
【００３０】
また、このキャップ部材２０の取り付けられた図３に示すようなヘアーアイロンでは、一方の手でハンドル１０を持ったのち、クリップ１２で髪を挟み、他方の手で先端のキャップ部材２０のつまみ部材２２を摘んでハンドル１０を回転して発熱部１１に髪を巻きつける。その際、ハンドル１０を回転しても、つまみ部材２２はスプリング２６で付勢されて嵌合部材２１との摩擦が減少させてあるので、つまみ部材２２と一緒にネジ２５が回転して（ホルダー２４も摩擦の減少に関与するはずである）、ハンドル１０と一緒に回転しない。そのため、つまみ部材２２をハンドル１０の回転に合わせて、持ち直す必要がなく、ヘアーアイロンを安定して操作できるので、セットの仕上げも良好にできる。
【実施例１】
【００３１】
この実施例１に示すヘアーアイロンは、図４（ａ）、（ｂ）に示すように、つまみ部材２２と嵌合部材２１とが一体となったもので、先の形態のキャップ部材２０のようにつまみ部材２２が回転しないものである。
【００３２】
また、このキャップ部材２０の嵌合部材２１の形状は、先の形態の基部２９の形状と同じで、３本の溝３３が等間隔に設けられたものである。また、嵌合部材２１の軸部分には、貫通孔に代えてネジ孔が設けられており、係合部材２３をネジ止めするようになっている。前記係合部材２３は、先の形態と同様に、中心に孔を設けた円板の周囲に３本の突片３５を放射状に設けたもので、基部２９に取り付けられたのち、突片３５は嵌合部材２１の周囲から突出する。
【００３３】
この形態は、上記のように構成されており、キャップ部材２０を発熱部１１の先端に嵌合する部分の構成と作用効果については先の形態と同じなので、同一部材に同一符号を付して説明は省略する。
【００３４】
なお、この実施例１では、キャップ部材２０と係合部材２３とを別体としたが、係合部材２３に代えて突片３５を一体に樹脂成型したものでも構わないことは当然である。
【実施例２】
【００３５】
この実施例２は、この発明で使用されるヘアーアイロンの円筒状の発熱部１１の形状の他の態様を示したものである。
【００３６】
例えば、図５（ａ）、（ｂ）、（ｃ）に示すように、三角や半楕円形状など髪を巻きつけやすい形状であればどのようなものにも使用可能である。
【００３７】
このとき、キャップ部材２０の形状も発熱部１１の断面形状に合わせることは勿論である。また、キャップ部材２０の突片３５の数も形状に合わせて、より高い係止力が得られるように適宜決めることは勿論である。
【図面の簡単な説明】
【００３８】
【図１】実施形態の分解斜視図
【図２】（ａ）実施形態の要部の縦断側面図、（ｂ）（ａ）のIIｂ−IIｂ断面図
【図３】実施形態の側面図
【図４】（ａ）実施例１の縦断側面図、（ｂ）（ａ）のIVｂ−IVｂ断面図
【図５】（ａ）実施例２の側面図、（ｂ）(ａ)のＶ−Ｖ断面図、（ｃ）(ｂ)の他の態様を示す断面図
【図６】従来例の縦断面図
【符号の説明】
【００３９】
１１  発熱部
２０  キャップ部材
２１  嵌合部材
２２  つまみ部材
２３  係合部材
２４  ホルダー
２５  ネジ
２６  スプリング
２９  基部
３５  突片
【図１】
2007054116.tif 000003
【図２】
2007054116.tif 000004
【図３】
2007054116.tif 000005
【図４】
2007054116.tif 000006
【図５】
2007054116.tif 000007
【図６】
2007054116.tif 000008